(57)【要約】      （修正有）【課題】左右両側の監視エリアに対応して設けられた透光性窓の汚損状態を把握して清掃の必要性を適切に判断可能とする。【解決手段】火災検知装置は、トンネル長手方向に向かって所定間隔に区分された監視エリアの境界に配置され、左右両側の監視エリアからの光線を各々に対応した左右の透光性窓を介して受光して電気信号に変換し、当該電気信号に基づいて、左右の監視エリアの火災を検知して火災信号を受信装置に送信する。また火災検知装置は左右の透光性窓の汚損状態を示す汚損度を検出して受信装置に送信する。受信装置は、火災検知装置の並び順（アドレス順）に対応した左窓汚損度と右窓汚損度に分けて汚損度の大きい順に表示させる。また、左窓汚損度と右窓汚損度に、汚損状態と汚損予想状態を識別表示させる。【選択図】図７
2018197990.tif 000002
【特許請求の範囲】
【請求項１】
受信装置から引き出された信号回線に、所定方向に向かって所定間隔に区分された監視エリアの境界に配置された複数の火災検知装置が接続された防災システムに於いて、
前記火災検知装置は、
ふたつの前記監視エリアからの光線を、各々に対応した透光性窓を介して受光して電気信号に変換し、当該電気信号に基づいて、対応する前記監視エリアにおける火災を判定した場合に火災判定信号を前記受信装置に送信する火災判定部と、
一方の前記透光性窓の汚損状態を示す第一窓汚損度と他方の前記透光性窓の汚損状態を示す第二窓汚損度を検知して汚損度検知信号を前記受信装置に送信する汚損検知部と、
を備え、
前記受信装置は、
前記火災検知装置から前記火災判定信号を受信して警報する火災監視制御部と、
前記複数の火災検知装置から受信した前記第一窓汚損度と前記第二窓汚損度を、所定の順番に従って表示させる汚損表示制御部と、
を備えたことを特徴とする防災システム。
【請求項２】
請求項１記載の防災システムに於いて、
前記受信装置の前記汚損表示制御部は、前記複数の火災検知装置の前記第一窓汚損度と前記第二窓汚損度に分けて汚損度の大きい順に表示させることを特徴とする防災システム。
【請求項３】
請求項２記載の防災システムに於いて、前記汚損表示制御部は、汚損度の大きい順に表示された前記第一窓汚損度に、対応する前記第二窓汚損度を組み合わせて表示させ、且つ汚損度の大きい順に表示された一方の窓汚損度に、対応する他方の窓汚損度を組み合わせて表示させることを特徴とする防災システム。
【請求項４】
請求項１記載の防災システムに於いて、
前記受信装置の前記汚損表示制御部は、前記複数の火災検知装置の前記第一窓汚損度と前記第二窓汚損度の組を、前記複数の火災検知装置の並び順に表示させることを特徴とする防災システム。
【請求項５】
請求項１記載の防災システムに於いて、
前記受信装置の前記汚損表示制御部は、前記複数の火災検知装置の前記第一窓汚損度と前記第二窓汚損度から、汚損度の大きい順に混在して表示させることを特徴とする防災システム。
【請求項６】
請求項１記載の防災システムに於いて、
前記受信装置の前記汚損表示制御部は、同一の監視エリアを重複して監視する何れか一方の火災検知装置の汚損度と他方の火災検知装置の汚損度とが隣接して並ぶように、前記複数の火災検知装置の前記第二窓汚損度と前記第一窓汚損度の組を、前記複数の火災検知装置の並び順に表示させることを特徴とする防災システム。
【請求項７】
請求項１乃至６の何れかに記載の防災システムに於いて、
前記火災検知装置の前記汚損検知部は、前記第一窓汚損度又は前記第二窓汚損度が所定の汚損予兆閾値に達している場合に前記受信装置に汚損予兆状態を示す汚損予兆信号を送信し、前記第一窓汚損度又は前記第二窓汚損度が前記汚損予兆閾値よりも高い所定の汚損閾値に達している場合に前記受信装置へ汚損信号を送信し、
前記受信装置の前記汚損表示制御部は、前記汚損予兆信号に対応した前記第一窓汚損度又は前記第二窓汚損度に前記汚損予兆状態を識別表示させ、前記汚損信号に対応した前記第一窓汚損度又は前記第二窓汚損度に前記汚損状態を識別表示させることを特徴とする防災システム。
【請求項８】
請求項１乃至６の何れかに記載の防災システムに於いて、
前記受信装置の前記汚損表示制御部は、
前記第一窓汚損度又は前記第二窓汚損度が所定の汚損予兆閾値に達している場合に、前記第一窓汚損度又は前記第二窓汚損度に汚損予兆状態を識別表示させ、
前記第一窓汚損度又は前記第二窓汚損度が前記汚損予兆閾値よりも高い所定の汚損閾値に達している場合に、前記第一窓汚損度又は前記第二窓汚損度に前記汚損状態を識別表示させることを特徴とする防災システム。
【発明の詳細な説明】
【技術分野】
【０００１】
本発明は、防災受信盤から引き出された信号回線に接続された火災検知装置により、トンネル長手方向に所定間隔に区分された監視エリアの火災を監視する防災システムに関する。
【背景技術】
【０００２】
従来、自動車専用道路等のトンネルには、トンネル内で発生する火災事故から人身及び車両等を守るため、火災を監視する火災検知装置が設置され、防災受信盤から引き出された信号回線に接続されている。
【０００３】
火災検知装置はトンネル長手方向に沿って例えば２５ｍ間隔、或いは５０ｍ間隔に区分された監視エリアの境界に設置され、火災検出装置は左右の両方向に検知エリアを持ち、隣接して配置された火災検知装置により同じ監視エリアの火災を重複して監視している。
【０００４】
火災検知装置には左右の監視エリアに対応して左右に透光性窓が設けられており、透光性窓を介してトンネル内で発生する火災炎からの放射線、たとえば赤外線を監視している。
【０００５】
トンネル内に設置している火災検知装置は、環境内を浮遊する汚損物質付着などにより時間の経過と共に透光性窓の汚れが増加することから、炎の監視機能を維持するために、透光性窓の汚れを監視しており、一定の期間毎に透光性窓の清掃を行っている。
【０００６】
透光性窓の汚れ監視は、火災検知装置に設けた試験光源から定期的に試験光を、検知装置外部の検知出エリア側空間を経由し透光性窓に入射し受光素子で受光して、このときの受光レベルを初期無汚損時のそれと比較するなどして減光率を汚損度として求め、汚損度が所定の閾値を超えたら汚損信号を防災受信盤に送信して汚損警報を出力させている。火災検知装置の汚損警報が出力された場合には、汚損状態となった火災検知装置の透光性窓を清掃する対応が必要となる。
【０００７】
また、汚損閾値に対しそれより低い汚損予兆閾値を設定し、汚損度が汚れ予兆閾値を超えた場合に汚損予兆信号を防災受信盤に送信して汚損予兆警報を出力させている。火災検知装置の汚損予兆警報については、汚損予兆状態となった火災検知装置の数が増加した場合に、定期清掃実施予定までの期間が長いときには、清掃作業の時期を早めるといった計画見直し等の対応が可能となる。
【０００８】
ところで、防災受信盤による火災検知装置の汚損監視の方法として、火災検知装置で検知した汚損度に基づき、正常、汚損予兆、汚損といった汚損状態の進行度合いをトンネル長さ方向の順に表示するようにしており、これによりトンネル全体の火災検知装置の汚損度合や汚損の傾向を把握することができる（特許文献１）。
【先行技術文献】
【特許文献】
【０００９】
【特許文献１】特開２０００−３１５２８５号公報
【発明の概要】
【発明が解決しようとする課題】
【００１０】
ところで、防災受信盤により火災検知装置で検知した汚損度に基づき、正常、汚損予兆、汚損といった汚損状態の進行度合いをトンネル長さ方向の順に表示するようにした防災システムにあっては、火災検知装置が左右の監視エリアに対応して設けられた右側透光性窓の左側透光性窓の汚損状態を区別しておらず、両方の透光性窓の汚損度が汚損予兆閾値に達していなければ正常、何れか一方の透光性窓が汚損予兆閾値を超えた場合は汚損予兆、更に、何れか一方の透光性窓が汚損閾値を超えた場合は汚損と判断して、汚損状態の進行度合いをトンネル長さ方向の順に表示している。
【００１１】
このような防災受信盤による火災検知装置の汚損状態の表示は、火災検知装置に設けられた透光性窓の清掃の必要性をみるためのものであるが、火災検知装置の透光性窓清掃の必要性を検討し、清掃作業を計画するにあたっては、汚損状態の進行度合いをトンネル長さ方向の順（配置順）に表示することが必ずしも効率的とは言えない面がある。また、従来の防災システムでは、左右の透光性窓を区別せずに汚損状態を表示しているため、清掃の必要性が正確に判断できない可能性がある。
【００１２】
例えば、トンネル長手方向の順に汚損度を表示しても、どの検知装置が清掃の必要があるのか、あるいは清掃の緊急度が高いのかについては目視により探索するなどが必要になる。
【００１３】
また例えば、トンネル内に設置された火災検知装置の汚損状態は、トンネル内を流れる気流の方向により、左右に設けられた透光性窓の一方の汚損の進み具合が他方に比べ早まる場合があり、このため例えば、ある火災検知装置の一方の透光性窓が汚損予兆状態となっても、他方の透光性窓が正常な（非汚損あるいは汚れが軽度である）場合があり、このような場合に、防災受信盤には火災検知装置の透光性窓は汚損予兆状態にあるものとして表示され、この場合、両方の透光性窓が汚損予兆状態にある場合に比べ緊急度が高くないが、そのことがただちに把握できず効率的でない。
【００１４】
また、同じ監視エリアを重複して監視している隣接して配置された火災検知装置において、同じ監視エリアを監視している一方の火災検知装置の透光性窓が汚損状態となっても、同じ監視エリアを監視している他方の火災検知装置の透光性窓が正常状態にあれば、その監視エリアに監視機能は正常状態にある火災検知装置の透光性窓による監視で維持されており、これが分かると汚損状態となった火災検知装置の清掃には比較的時間的な余裕があることにもなるが、この場合も従来の左右の透光性窓の汚損を考慮しない従来の表示にあっては、汚損状態となった火災検知装置の清掃を必要以上に急がざるを得ず、清掃の必要性が適切に判断できない可能性が残る。
【００１５】
本発明は、火災検知装置の左右両側の監視エリアに対応して設けられた透光性窓の汚損状態を把握して清掃の必要性を適切に判断可能とする防災システムを提供することを目的とする。
【課題を解決するための手段】
【００１６】
（防災監視システム）
本発明は、受信装置から引き出された信号回線に、所定方向に向かって所定間隔に区分された監視エリアの境界に配置された複数の火災検知装置が接続された防災システムに於いて、
火災検知装置は、
ふたつの監視エリアからの光線を、各々に対応した透光性窓を介して受光して電気信号に変換し、当該電気信号に基づいて、対応する監視エリアにおける火災を判定した場合に火災判定信号を受信装置に送信する火災判定部と、
一方の透光性窓の汚損状態を示す第一窓汚損度と他方の透光性窓の汚損状態を示す第二窓汚損度を検知して汚損度検知信号を受信装置に送信する汚損検知部と、
を備え、
受信装置は、
火災検知器から火災判定信号を受信して警報する火災監視制御部と、
複数の火災検知装置から受信した第一窓汚損度と第二窓汚損度を、所定の順番に従って表示させる汚損表示制御部と、
を備えたことを特徴とする。
【００１７】
（左窓と右窓に分けて汚損度の大きい順に表示）
受信装置の汚損表示制御部は、複数の火災検知装置の第一窓汚損度と第二窓汚損度に分けて汚損度の大きい順に表示させる。
【００１８】
（左窓と右窓の汚損度を組み合わせ表示）
汚損表示制御部は、汚損度の大きい順に表示された第一窓汚損度に、対応する第二窓汚損度を組み合わせて表示させ、且つ汚損度の大きい順に表示された一方の窓汚損度に、対応する他方の窓汚損度を組み合わせて表示させる。
【００１９】
（火災検知装置の並び順に汚損度を表示）
受信装置の汚損表示制御部は、複数の火災検知装置の第一窓汚損度と第二窓汚損度の組を、複数の火災検知装置並び順に表示させる。
【００２０】
（汚損度の大きい順に左窓と右窓の汚損度を混在表示）
受信装置の汚損表示制御部は、複数の火災検知装置の第一窓汚損度と第二窓汚損度から、汚損度の大きい順に混在して表示させる。
【００２１】
（重複監視する監視エリアの汚損度を並び順に表示）
受信装置の汚損表示制御部は、同一の監視エリアを重複して監視する何れか一方の火災検知装置の汚損度と他方の火災検知装置の汚損度とが隣接して並ぶように、複数の火災検知装置の第一窓汚損度と第二窓汚損度の組を、複数の火災検知装置並び順に表示させる。
【００２２】
（火災検知装置による汚損予兆と汚損の判別と受信装置での識別表示）
火災検知装置の汚損検知部は、第一窓汚損度又は第二窓汚損度が所定の汚損予兆閾値に達している場合に受信装置に汚損予兆状態を示す汚損予兆信号を送信し、第一窓汚損度又は第二窓汚損度が汚損予兆閾値よりも高い所定の汚損閾値に達している場合に受信装置へ汚損信号を送信し、
受信装置の汚損表示制御部は、汚損予兆信号に対応した第一窓汚損度又は第二窓汚損度に汚損予兆状態を識別表示させ、汚損信号に対応した第一窓汚損度又は第二窓汚損度に汚損状態を識別表示させる。
【００２３】
（受信装置での汚損予兆と汚損の判定と識別表示）
受信装置の汚損表示制御部は、
第一窓汚損度又は第二窓汚損度が所定の汚損予兆閾値に達している場合に、第一窓汚損度又は第二窓汚損度に汚損予兆状態を識別表示させ、
第一窓汚損度又は第二窓汚損度が汚損予兆閾値よりも高い所定の汚損閾値に達している場合に、第一窓汚損度又は第二窓汚損度に汚損状態を識別表示させる。
【発明の効果】
【００２４】
本発明は、受信装置から引き出された信号回線に、所定方向に沿って所定間隔に区分された監視エリアの境界に配置された複数の火災検知装置が接続された防災システムに於いて、火災検知装置は、ふたつの監視エリアからの放射線を、各々に対応した透光性窓を介して受光して電気信号に変換し、当該電気信号に基づいて、対応する監視エリアにおける火災を判定した場合に火災判定信号を受信装置に送信する火災判定部と、一方の透光性窓の汚損状態を示す第一窓汚損度と他方の透光性窓の汚損状態を示す第二窓汚損度を検知して、これらに応じた汚損度検知信号を受信装置に送信する汚損検知部とを備え、受信装置は、火災検知装置から火災判定信号を受信して警報する火災監視制御部と、複数の火災検知装置から受信した第一窓汚損度と第二窓汚損度を、所定の順番に従って表示させる汚損表示制御部とを備えたため、例えば、トンネルの長手方向に沿って所定間隔に区分された監視エリアの境界に設置されて第一、第二の透光性窓に対応する監視エリアにおける火災を監視する複数の火災検知装置にあっては、受信装置で複数の火災検知装置に設けられた第一窓汚損度と第二窓汚損度が所定の順番に表示されることで、例えば、正常、汚損予兆、汚損といった汚損度合を第一、第二の透光性窓毎に捉え、透光性窓の清掃の必要性を適切に判断可能とする。
【００２５】
（左窓と右窓に分けて汚損度の大きい順に表示することの効果）
また、受信装置の汚損表示制御部は、複数の火災検知装置の第一窓汚損度と第二窓汚損度に分けて汚損度の大きい順に表示させるようにしたため、火災検知装置の汚損度が第一、第二の透光性窓に分けて、汚損度が大きい順に表示され、清掃の必要性の高い透光性窓の汚損度が例えば先頭に表示されることで、清掃の必要性を適切に判断可能とする。
【００２６】
（左窓と右窓の汚損度を組み合わせ表示することの効果）
また、汚損表示制御部は、汚損度の大きい順に表示された第一窓汚損度に、対応する第二窓汚損度を組み合わせて表示させ、且つ汚損度の大きい順に表示された第二窓汚損度に、対応する第一窓汚損度を組み合わせて表示させるようにしたため、汚損度の大きい順に従って先頭に表示された例えば第一窓汚損度に対応して同じ火災検知装置の第二窓汚損度が表示されることで、第一、第二の汚損度を考慮して清掃の必要性を適切に判断可能とする。
【００２７】
（火災検知装置の並び順に汚損度を表示することの効果）
また、受信装置の汚損表示制御部は、複数の火災検知装置の第一窓汚損度と第二窓汚損度の組を、複数の火災検知装置の並び順に表示させるようにしたため、トンネル内での火災検知装置の並び方向に沿って第一窓汚損度と右窓汚損度の組が表示され、トンネル内の配置位置に対応した第一、第二の汚損度を考慮して清掃の必要性を適切に判断可能とする。
【００２８】
（汚損度の大きい順に左窓と右窓の汚損度を混在表示することの効果）
また、受信装置の汚損表示制御部は、複数の火災検知装置の第一窓汚損度と第二窓汚損度を、汚損度の大きい順に混在して表示させるようにしたため、第一窓汚損度と第二窓汚損度が汚損度の大きい順に並べて表示されることで、清掃の必要性の最も高い透光性窓を把握して、清掃の必要性を適切に判断可能とする。
【００２９】
（重複監視する監視エリアの汚損度を並び順に表示することの効果）
また、受信装置の汚損表示制御部は、同一の監視エリアを重複して監視する何れか一方の火災検知装置の汚損度と他方の火災検知装置の汚損度とが隣接して並ぶように、複数の火災検知装置の第一窓汚損度と第二窓汚損度の組を、複数の火災検知装置並び順の順に表示させるようにしたため、隣接した２台の火災検知装置により重複して監視している同一の監視エリアに対するそれぞれの透光性窓に対応した一方の汚損度と他方の汚損度の関係が簡単且つ確実に分かり、例えば、一方の汚損度が汚損レベルに達していても、他方の汚損度が正常レベルに収まっていれば、その監視エリアは重複監視はできないが、汚損度が正常レベルにある他方の火災検知装置により正常に監視されており、一方の火災検知装置の汚損度が汚損レベルに達しても、清掃の必要性がひっ迫した状況にはないと判断することが可能となり、清掃の必要性を適切に判断可能とする。
【００３０】
（火災検知装置による汚損予兆と汚損の判別と受信装置での識別表示による効果）
また、火災検知装置の汚損検知部は、第一窓汚損度又は第二窓汚損度が所定の汚損予兆閾値に達している場合に受信装置に汚損予兆状態を示す汚損予兆信号を送信し、第一窓汚損度又は第二窓汚損度汚が汚損予兆閾値よりも高い所定の汚損閾値に達している場合に受信装置へ汚損信号を送信し、受信装置の汚損表示制御部は、汚損予兆信号に対応した左窓汚損度又は右窓汚損度に汚損予兆状態を識別表示させ、汚損信号に対応した第一窓汚損度又は第二窓汚損度に汚損状態を識別表示させるようにしたため、例えば、第一窓汚損度と第二窓汚損度に分けて汚損度の大きい順に表示した場合に、先頭に表示されている大きな汚損度が、汚損状態にあるか、汚損予兆状態にあるかが、各々の識別表示により簡単に把握でき、汚損度の高い順に表示した場合の清掃の必要性の判断を、より適切に行うことを可能とする。
【００３１】
（受信装置での汚損予兆と汚損の判定と識別表示による効果）
また、受信装置の汚損表示制御部は、第一窓汚損度又は第二窓汚損度が所定の汚損予兆閾値に達している場合に、第一窓汚損度又は第二窓汚損度に汚損予兆状態を識別表示させ、第一窓汚損度又は第二窓汚損度が汚損予兆閾値よりも高い所定の汚損閾値に達している場合に、第一窓汚損度又は第二窓汚損度に汚損状態を識別表示させるようにしたため、大きな汚損度の表示が、汚損状態にあるか、汚損予兆状態にあるかが、各々の識別表示により簡単に把握でき、汚損度の高い順に表示した場合の清掃の必要性の判断を、より適切に行うことを可能とする。
【００３２】
また、汚損予兆状態と汚損状態の判断を受信装置で集中して行うことで、火災検知装置側の処理負担を低減可能とする。
【図面の簡単な説明】
【００３３】
【図１】トンネル内の火災監視を例にとって本発明による防災システムの概要を示した説明図
【図２】火災検知装置により重複監視するトンネル内の警戒エリアを示した説明図
【図３】火災検出装置の機能構成の概略を示したブロック図
【図４】火災検出装置の外観を示した説明図
【図５】防災受信盤の機能構成の概略を示したブロック図
【図６】防災受信盤のメモリに記憶された汚損情報を一覧で示した説明図
【図７】汚損表示の第１実施形態を示した説明図
【図８】汚損表示の第２実施形態を示した説明図
【図９】汚損表示の第３実施形態を示した説明図
【図１０】汚損表示の第４実施形態を示した説明図
【図１１】汚損表示の第５実施形態を示した説明図
【図１２】第５実施形態による他の表示形態を示した説明図
【図１３】第５実施形態による他の表示形態を示した説明図
【発明を実施するための形態】
【００３４】
［防災システムの概要］
図１はトンネルの火災監視を例にとって本発明による防災システムの概要を示した説明図である。図１に示すように、自動車専用道路のトンネルとして、上り線トンネル１ａと下り線トンネル１ｂが構築されている。
【００３５】
上り線トンネル１ａと下り線トンネル１ｂの内部には、トンネル長手方向の壁面に沿って例えば５０メートル間隔で火災検知装置１６が設置されている。火災検知装置１６は、左右に透光性窓を備えた２組の受光部を有することで、トンネル長手方向上り側および下り側の左右両方向に監視エリアを持ち、トンネルの長手方向に沿って、隣接して配置される火災検知装置との監視エリアが重複するように連続的に配置される。
【００３６】
受信装置として機能する防災受信盤１０からは上り線トンネル１ａと下り線トンネル１ｂに対し電源および信号回線１２ａ，１２ｂが引き出されて火災検知装置１６が接続されており、火災検知装置１６には固有のアドレスが並び順に予め設定されている。なお、火災検知装置１６にはアドレスに替えて固有のＩＤ（識別子）を並び順に設定しても良い。
【００３７】
図２は火災検知装置により重複監視するトンネル内の監視エリアを示した説明図であり、図１の上り線トンネル１ａを例にとっている。
【００３８】
図２に示すように、上り線トンネル１ａのトンネル側壁に沿って例えば５０メートル間隔で火災検知装置１６が設置されている。これはトンネル内を長手方向に５０メートル間隔の監視エリアＡＲ1，ＡＲ2，…ＡＲi-1，ＡＲi，ＡＲi+1，・・・に区分けし、境界に火災検知装置１６が設置されている。各監視エリアは例えば長手方向５０ｍ×短手方向２０ｍといった大きさになる。
【００３９】
火災検知装置１６には、左右の監視エリアを個別に監視する左側透光性窓（第一窓）とを備えた左窓受光部と右側透光性窓（第二窓）を備えた右窓受光部が設けられている。ここで、火災検知装置１６の左右関係は、本実施形態においては、火災検知装置１６を正面から見た状態で定めている。
【００４０】
例えば、監視エリアＡＲｉの左端に配置されたｉ番目の火災検知装置１６と右端に配置されたｉ＋１番目の火災検知装置１６は、ｉ番目の火災検知装置１６の右窓受光部により監視エリアＡＲｉを監視し、同時に、ｉ＋１番目の火災検知装置１６の左窓受光部により同じ監視エリアＡＲｉを重複して監視している。
【００４１】
なお、トンネル入口側の最初の監視エリアＡＲ１は、１番目の火災検知装置１６の左窓受光部による単独監視となる。
【００４２】
火災検知装置１６は、左側又は右側の監視エリア内で起きた火災による炎からの放射線、例えば赤外線を、左窓受光部により観測して火災を監視すると共に、右窓受光部により観測して火災を監視しており、火災を検知した場合、予め設定された固有のアドレスと左窓検知か右窓検知かを示す識別情報を含む火災信号を防災受信盤１０に送信する。
【００４３】
また、火災検知装置１６は受光部に設けられた透光性窓の汚損を例えば１日に１回の周期で左右独立に検知しており、検知した汚損度と左窓検知か右窓検知かを示す識別情報を含む汚損検知信号を防災受信盤に送信する。
【００４４】
更に、火災検知装置１６は、周期的に検知した汚損度が所定の汚損予兆閾値を超えた場合に、汚損予兆情報と左窓検知か右窓検知かを示す識別情報を含む汚損予兆信号を防災受信盤１０に送信し、汚損度が所定の汚損閾値を超えた場合に、汚損情報と左窓検知か右窓検知かを示す識別情報を含む汚損信号を防災受信盤１０に送信する。
【００４５】
［火災検知装置］
図３は火災検知装置の機能構成の概略を示したブロック図、図４は火災検知装置の外観を示した説明図である。
【００４６】
図３に示すように、火災検知装置１６は左窓火災検知部１６Ｌと右窓火災検知部１６Ｒを備えており、左窓火災検知部１６Ｌに代表して示すように、受光センサを含む受光部３８ａ，３８ｂ、これら各々に対応する増幅処理部４０ａ，４０ｂ、制御部３２及び伝送部３４を備える。受光部３８ａ，３８ｂの前方には検知器カバーに設けた左側透光性窓３６Ｌを配置しており、左側透光性窓３６Ｌを介して外部の監視エリアからの光エネルギーを受光部３８ａ，３８ｂに入射している。
【００４７】
また、左側透光性窓３６Ｌの汚損を監視するため、試験光源部４２、汚損受光部４４及び増幅部４６で構成する汚損検知部が設けられている。
【００４８】
ここで、図４に示すように、火災検知装置１６は、筐体５２の上部に設けられたセンサ収納部５４に左側透光性窓３６Ｌと右側透光性窓３６Ｒが設けられ、左側透光性窓３６Ｌと右側透光性窓３６Ｒの内部の各々に、図３に示した左窓火災検知部１６Ｌと右窓火災検知部１６Ｒの受光部等が配置されている。また、左側透光性窓３６Ｌと右側透光性窓３６Ｒの近傍の、受光部を見通せる位置に、個別の試験光源部４２を収納した２組の試験光源用透光窓５６が設けられている。
【００４９】
再び図３を参照するに、右窓火災検知部１６Ｒも左窓火災検知部１６Ｌと同じ構成であるが、制御部３４は両者に共通するユニットとして設けられ、例えばハードウェアとしてＣＰＵ、メモリ、各種の入出力ポート等を備えたコンピュータ回路等が使用される。また、制御部３４にはプログラムの実行により実現される機能として、火災判定部４８と汚損処理部５０が設けられる。
【００５０】
左窓火災検知部１６Ｌは例えば２波長式の炎検知原理により火災を監視している。受光部３８ａは、左側透光性窓３６Ｌを介して入射した光エネルギーの中から、炎に特有なＣＯ2の共鳴放射帯である４．４〜４．５μｍの放射線を光学波長バンドパスフィルタにより選択透過させて、受光センサにより該放射線のエネルギーを光電変換したうえで、増幅処理部４０ａにより増幅等所定の加工を施してエネルギー量に対応する受光信号にして制御部３４へ出力する。
【００５１】
受光部３８ｂは、左側透光性窓３６Ｌを介して入射した光エネルギーの中から、５〜６μｍの放射エネルギーを光学波長バンドパスフィルタにより選択透過させて、受光センサにより該放射線のエネルギーを検知して光電変換したうえで、増幅処理部４０ｂにより増幅等所定の加工を施してエネルギー量に対応する受光信号にして制御部３４へ出力する。
【００５２】
制御部３４に設けられた火災判定部４８は、例えば、増幅処理部４０ａ，４０ｂから出力された受光信号レベルの相対比をとり、所定の閾値と比較することにより炎の有無を判定し、炎有りの判定により火災を検知した場合には、伝送部３５に指示して、防災受信盤１０からの自己アドレスに一致する呼出電文に対する応答電文に、火災判定情報と左窓検知を示す識別情報を設定することにより、火災判定信号として防災受信盤１０へ送信する制御を行う。
【００５３】
試験光源部４２、汚損受光部４４及び増幅部４６で構成した汚損検知部は、制御部３４の汚損処理部５０からの指示により所定周期、例えば１日に１回の周期で試験光源部４２を点滅して所定の試験光を発し、左側透光性窓３６Ｌを介して汚損受光部４４に入射しており、この試験光は汚損受光部４４に設けた受光センサで電気信号に変換され、増幅部４６で増幅して制御部３２に、左側透光性窓３６Ｌの汚損度に応じた汚損検知信号が出力される。
【００５４】
制御部３２の汚損処理部５０は、増幅部４６からの汚損検知信号が得られた場合、予め記録された無汚損時の汚損検知信号レベルと汚損処理により得られた汚損検知信号レベルとを比較して現行率度を算出することで汚損度を検知する。検知した汚損度を、伝送部３４に指示して、自己アドレスに一致する呼出電文に対する応答電文に、汚損度の値を示す汚損情報と左窓検知を示す識別情報を設定することにより、汚損検知信号として防災受信盤１０に送信する制御を行う。
【００５５】
汚損処理部５０による上記の汚損検知は、防災受信盤１０からの定期的な（例えば１日に１回）の汚損処理実施指示信号を受けて実施され、汚損検知信号はこの応答信号として返送されるようにもできる。
【００５６】
また、制御部３４の汚損処理部５０は、検知された汚損度が、所定の汚損予兆閾値を超えた場合に、伝送部３５に指示して、自己アドレスに一致する呼出電文（或いは先の汚損処理実施指示信号）に対する応答電文に、汚損予兆情報と左窓検知を示す識別情報を設定することにより、汚損予兆信号として防災受信盤１０へ送信する制御を行う。
【００５７】
ここで、防災受信盤１０に対して送信する汚損情報に汚損度を付す場合には、汚損予兆閾値との比較処理および汚損予兆の判定は防災受信盤１０側で行ってもよい。この場合、汚損予兆閾値は防災受信盤１０に設定登録される。
【００５８】
また、制御部３４の汚損処理部５０は、増幅部４６からの汚損検知信号に基づく汚損度が、汚損予兆閾値より高い所定の汚損閾値を超えた場合に、伝送部３５に指示して、防災受信盤１０からの、自己アドレスに一致する呼出電文に、汚損情報と左窓検知を示す識別情報を設定することにより、汚損信号として防災受信盤１０へ送信する制御を行う。
【００５９】
なお、防災受信盤１０に対して送信する汚損情報に汚損度を付す場合には、汚損閾値との比較処理および汚損の判定は防災受信盤１０側で行ってもよい。この場合、汚損閾値は防災受信盤１０に設定登録される。
【００６０】
ここで、制御部３４の汚損処理部５０は、増幅部４６からの汚損検知信号に基づき汚損具合を示す左側透光性窓３６Ｌの減光率を求め、この減光率を汚損度として防災受信盤１０に送信すると共に、汚損予兆及び汚損の判定処理を行う。
【００６１】
汚損処理部５０による左側透光性窓３６Ｌの減光率の算出は、左側透光性窓３６Ｌに汚損がない工場出荷時、火災監視開始時又は清掃終了時の汚損検知信号のレベルを基準レベルＥｒとして記憶し、増幅部４６から検知レベルＥの汚損検知信号が得られる毎に、減光率Ｄを
Ｄ＝１−（Ｅ／Ｅｒ）
として算出する。
【００６２】
このようにして算出される減光率Ｄは、透光性窓３６の汚損度合に比例して変動する値であり、以下の説明では、減光率を汚損度として説明する。
【００６３】
また、汚損処理部５０で汚損予兆の判定に使用する汚損予兆閾値は、左側透光性窓３６Ｌがやや汚損しているが受光部３８ａ，３８ｂによる監視エリアの全体の火災監視可能を維持できる（所定規模の火災を検知できる）所定の第１の汚損レベル、例えば減光率７５パーセントに設定される。
【００６４】
更に、汚損処理部５０で汚損の判定に使用する汚損閾値は、受光部による監視エリアの全体の監視ができなくなる、第１の汚損レベルより高い所定の第２の汚損レベル、例えば減光率８５パーセントに設定される。
【００６５】
このような汚損検知部５０の処理は、右側透光性窓３６Ｒの汚損に対しても同様となる。
【００６６】
［防災受信盤］
図５は防災受信盤の機能構成の概略を示したブロック図である。図５に示すように、防災受信盤１０は制御部１８を備え、制御部１８は例えばプログラムの実行により実現される機能であり、火災監視制御部３１と汚損表示制御部３２の機能が設けられる。また、制御部１８のハードウェアとしてはＣＰＵ、メモリ、各種の入出力ポート等を備えたコンピュータ回路等を使用する。
【００６７】
制御部１８に対しては伝送部２０ａ，２０ｂが設けられ、伝送部２０ａ，２０ｂから引き出された信号回線１２ａ，１２ｂに上り線トンネル１ａと下り線トンネル１ｂに設置された火災検知装置１６がそれぞれ複数台接続されている。
【００６８】
また、制御部１８に対しスピーカ、警報表示灯等を備えた警報部２２、液晶ディスプレイ等を備えた表示部２４、プリンタ２５、各種スイッチ等を備えた操作部２６、外部監視設備と通信するＩＧ子局設備を接続するモデム２８が設けられ、更に、換気設備、警報表示板設備、ラジオ再放送設備、カメラ監視設備、照明設備及び消火ポンプ設備を接続したＩＯ部３０が設けられている。
【００６９】
防災受信盤１０の火災監視制御部３１は、伝送部２０ａ，２０ｂを介して火災検知装置１６のアドレスを順次指定したポーリングコマンドを含む呼出電文を繰り返し送信しており、火災検知装置１６は自己アドレスに一致する呼出電文を受信すると、直前に検知した汚損度、汚損予兆、汚損等の検知情報と左窓検知か右窓検知かを示す識別情報を含む応答電文を返信する。
【００７０】
なお、防災受信盤１０の火災監視制御部３１は、火災検知装置１６からの電文の受信により火災を判定した場合は警報部２２に指示して火災警報を出力させると共にＩＯ部３０に指示して他設備に連動制御を行なわせる。
【００７１】
［防災受信盤による汚損監視］
（汚損情報の収集記憶）
防災受信盤１０の汚損表示制御部３２は、火災検知装置１６から受信した応答電文に設定された汚損度情報と左窓検知か右窓検知かの識別情報に基づき、制御部１８のメモリに図６に示す火災検知装置１６の汚損情報１００を記憶している。
【００７２】
図６のメモリに記憶された汚損情報１００は、火災検知装置１６のアドレスに対応して図３の左窓火災検知部１６Ｌで検知された左窓汚損度ＬＤｉと右窓火災検知部１６Ｒで検知された左窓汚損度ＲＤｉが記憶されている。なお、ｉは火災検知装置１６の任意のアドレスを示している。
【００７３】
ここで、図１に示した上り線トンネル１ａと下り線トンネル１ｂのトンネル長を例えば各１キロメートルとすると、５０メートル間隔で２０台の火災検知装置１６が配置されており、図６の汚損情報１００にあっては、２０台の火災検知装置１６について設定されたアドレス０１〜２０に対応して左窓汚損度ＬＤ０１〜ＬＤ２０と右窓汚損度ＲＤ０１〜ＲＤ２０が記憶された場合を例にとっている。また、左窓汚損度ＬＤ０１〜ＬＤ２０と右窓汚損度ＲＤ０１〜ＲＤ２０は、透光性窓の減光率を示すアナログ値となる。
【００７４】
汚損表示制御部３２は、操作部２６による汚損状態を確認するための所定の操作が行われた場合に、図６の汚損情報１００に基づき、アドレスに対応した左窓汚損度と右窓汚損度の一覧を、所定の順番に従って表示部２４の液晶ディスプレイに表示すると共に、プリンタ２５により印刷出力させる制御を行う。
【００７５】
また、防災受信盤１０の汚損表示制御部３２は、図６の汚損情報１００に基づき、アドレスに対応した左窓汚損度と右窓汚損度の一覧を表示部２４の液晶ディスプレイに表示させる場合や、プリンタ２５により印刷出力させる場合に、左窓汚損度と右窓汚損度を汚損予兆や汚損に対応して色分け等により識別表示させる制御を行う。
【００７６】
このような汚損表示制御部３２による汚損情報の表示制御の実施形態は以下のようになる。
【００７７】
（汚損表示の第１実施形態）
図７は汚損表示の第１実施形態を示した説明図である。図７に示すように、防災受信盤１０の汚損表示制御部３２による本実施形態の汚損表示１０２は、図６に示した汚損情報１００に基づき、左窓汚損情報１０２と右窓汚損情報１０４に分けて表示している。表示は上り線、下り線ごとに行われるが、上り線側のみ図示する。
【００７８】
左窓汚損情報１０２は、上り線側火災検知装置１６のアドレスＡｉに対応して左窓汚損度ＬＤｉを、汚損度の大きい順に並べている。また、右窓汚損情報１０４は、火災検知装置１６のアドレスＡｉに対応して右窓汚損度ＲＤｉを、汚損度の大きい順に並べている。
【００７９】
また、左窓汚損情報１０２について、汚損度が最大の先頭のアドレス１５の左窓汚損度ＬＤ１５は、対応する火災検知装置１６から汚損信号が受信されていることから、斜線で示すように汚損状態にあることを識別表示している。また、汚損度が２番目から４番目のアドレス０９，０４，１２の左窓汚損度ＬＤ０９，ＬＤ０４，ＬＤ１２は、対応する火災検知装置１６から汚損予兆信号が受信されていることから、砂地で示すように汚損予兆状態にあることを識別表示している。
【００８０】
また、右窓汚損情報１０４についても、汚損度が最大の先頭のアドレス０７の右窓汚損度ＲＤ０７は、対応する火災検知装置１６から汚損信号が受信されていることから、斜線で示すように汚損状態にあることを識別表示している。また、汚損度が２番目から３番目のアドレス０１，０９の左窓汚損度ＲＤ０１，ＲＤ０９は、対応する火災検知装置１６から汚損予兆信号が受信されていることから、砂地で示すように汚損予兆状態にあることを識別表示している。
【００８１】
汚損状態又は汚損予兆状態にあることの識別表示は、対応する表示部位の背景又は文字を所定の色とする。例えば、汚損状態は赤で識別し、汚損予兆は黄色で識別させる。
【００８２】
このように汚損度の大きい順に並べた左窓汚損情報１０２と右窓汚損情報１０４の表示を見ることで、左側透光性窓は、アドレス１５の火災検知装置１６について清掃の必要性が高まっており、右側透光性窓は、アドレス０７の火災検知装置１６について清掃の必要性が高まっていることが一目で把握でき、特に、両者については、斜線で示す汚損状態、即ち、減光率が８５パーセントに達して警戒エリアの全域監視ができなくなっていることから、清掃の必要性が一層高いことが判断できる。
【００８３】
一方、左側透光性窓についてはアドレス０９，０４，１２の火災検知装置１６が、右側透光性窓についてはアドレス０１，１５の火災検知装置１６が、砂地で示す汚損予兆状態、即ち、減光率が８５パーセント未満であるが７５パーセントに達しており、清掃の必要性が次に高いと判断することできる。
【００８４】
（汚損表示の第２実施形態）
図８は汚損表示の第２実施形態を示した説明図である。図８に示すように、防災受信盤１０の汚損表示制御部３２による本実施形態の汚損表示は、図７に示した左窓汚損表示１０２の左窓汚損度ＬＤｉに対し、同じ火災検知装置１６における右窓汚損度ＲＤｉを組み合わせて表示している。表示は上り線、下り線ごとに行われるが、上り線側のみ図示する。
【００８５】
また、図７に示した左窓汚損表示１０２の左窓汚損度ＬＤｉに対し、同じ火災検知装置１６における右窓汚損度ＲＤｉを組み合わせ対応させて表示している。
【００８６】
例えば、左窓汚損表示１０２の汚損度が最も高いアドレス１５の左窓汚損度ＬＤ１５に、同じアドレス１５の右窓汚損度ＲＤ１５を組み合わせて表示している。ここで、アドレス１５の左窓汚損度ＬＤ１５は汚損状態にあることから斜線で示す識別表示が行われ、また、同じアドレス１５の右窓汚損度ＲＤ１５は汚損予兆状態にあることから、砂地で示す識別表示が行われている。
【００８７】
この場合、アドレス１５の左窓汚損度ＬＤ１５は減光率が８５パーセントに達して汚損状態にあり、また、アドレス１５の右窓汚損度ＲＤ１５は減光率が８５パーセント未満であるが７５パーセントに達して汚損予兆状態にあり、アドレス１５の火災検知装置１６については、清掃の必要性が相当高くなっていると一目で把握できる。
【００８８】
この点は、右窓汚損表示１０４をベースにした場合について同様であり、右窓汚損表示１０４で汚損度が最も高いアドレス０７の右窓汚損度ＲＤ０７に、同じアドレス０７の左窓汚損度ＬＬ０７を組み合わせて表示している。ここで、アドレス０７の右窓汚損度ＲＤ０７は汚損状態にあることから斜線で示す識別表示が行われ、また、同じアドレス０７の左窓汚損度ＬＤ０７は汚損度が低く正常な状態にあることが一目で把握できる。ここでも、アドレス１５の火災検知装置１６が清掃の必要性が相当高くなっていると一目で把握できる。
【００８９】
（汚損表示の第３実施形態）
図９は汚損表示の第３実施形態を示した説明図である。図９に示すように、防災受信盤１０の汚損表示制御部３２による本実施形態の汚損表示１０６は、火災検知装置１６のアドレスｉの順番に、左窓汚損度ＬＤｉと右窓汚損度ＲＤｉの組を、並べて表示している。表示は上り線、下り線ごとに行われるが、上り線側のみ図示する。
【００９０】
また、図７及び図８と同様に、汚損状態にある汚損度は斜線で示すように識別表示され、また、汚損予兆状態にある汚損度は砂地で示すように識別表示されており、汚損度のアナログ値を見なくとも、汚損の進み具合を直感的に把握できるようにしている。
【００９１】
ここで、汚損状態と汚損予兆状態の識別表示は、汚損または汚損予兆状態にある左窓汚損度ＬＤｉと右窓汚損度ＲＤｉに対し行っているが、これに対応したアドレスｉについても、汚損状態又は汚損予兆状態の識別表示を行っている。この識別表示として、例えばアドレス１５のように、左窓汚損度ＬＤ１５が汚損状態で右窓汚損度ＲＤ１５が汚損予兆状態の場合は、高い方の汚損度ＬＤ１５に対する汚損状態の識別表示を優先して行っている。
【００９２】
このような汚損表示１０６は、図６に示したメモリに記憶している汚損情報１００をそのまま読出して表示して、汚損状態と汚損予兆状態を識別表示させたものであり、トンネル内における火災検知装置１６の並び順に、各火災検知装置１６における左右の透光性窓の汚損度を把握して、清掃の必要性が判断可能となる。
【００９３】
（汚損表示の第４実施形態）
図１０は汚損表示の第４実施形態を示した説明図である。図１０に示すように、防災受信盤１０の汚損表示制御部３２による本実施形態の汚損表示１０８は、左窓汚損度ＬＤｉと右窓汚損度ＲＤｉを、汚損度の大きい順に混在して表示させており、汚損表示１０８のアドレスには、火災検知装置１６のアドレスｉと左窓火災検知部を示す識別符号Ｌ又は右窓火災検知部を示す識別符号を組み合わせたアドレスｉＬ又はｉＲが表示されている。なお、表示は上り線、下り線ごとに行われるが、上り線側のみ図示する。
【００９４】
この例では、アドレス１５Ｌの左窓汚損度ＬＤ１５が最大であり、次がアドレス０７Ｒの右窓汚損度ＲＤ０７であり、両方とも汚損状態となる斜線の識別表示であるが、アドレス１５の火災検知装置１６の方がより清掃の必要性が高いことが判断できる。
【００９５】
（汚損表示の第５実施形態）
図１１は汚損表示の第５実施形態を示した説明図である。図１１に示すように、防災受信盤１０の汚損表示制御部３２による本実施形態の汚損表示１１０は、同一の監視エリアＡＲｉを重複して監視するｉ番目の火災検知装置１６の左窓汚損度ＬＤiとｉ＋１番目の火災検知装置１６の右窓汚損度ＲＬi+1とが隣接して並ぶように、アドレスｉの順に表示させる制御を行う。表示は上り線、下り線ごとに行われるが、上り線側のみ図示する。
【００９６】
例えばアドレス０１の火災検知装置１６とアドレス０２の火災検知装置１６は、同一の監視エリアＡＲ１２を重複して監視していることから、アドレス０１の右窓汚損度ＲＤ０１とアドレス０２の左窓汚損度ＬＤ２が隣接して並ぶように配置される。この関係は隣接して同一の監視エリアを重複して監視する他の火災検知装置１６についても同様となる。
【００９７】
また、図７及び図８と同様に、汚損状態にある汚損度は斜線で示すように識別表示され、汚損予兆状態にある汚損度は砂地で示すように識別表示されており、汚損度のアナログ値を見なくとも、汚損の進み具合を一見して把握できるようにしている。
【００９８】
このような汚損表示１１０によれば、隣接した２台の火災検知装置１６により重複して監視している同一の監視エリアに対するそれぞれの透光性窓（火災検知部）に対応した一方の汚損度と他方の汚損度の関係が簡単且つ確実に分かる。例えば、アドレス０７の右窓汚損度ＲＤ０７は斜線で示す汚損状態となっているが、同じ監視エリアＡＲ０８を重複して監視しているアドレス０８の右窓汚損度ＲＤ０８は正常レベルにあり、清掃の必要性がひっ迫した状況にはないと一目して判断することが可能となる。
【００９９】
この点は、左窓汚損度ＬＤ１５が汚損状態に達しているアドレス１５についても、同じ監視エリアＡＲ１５を重複して監視しているアドレス１４の左窓汚損度ＬＤ１６は正常レベルにあり、同様に、清掃の必要性がひっ迫した状況にはないと容易に判断することが可能となる。
【０１００】
図１２の汚損表示１２０は、トンネル長手方向を横方向として汚損情報１００を火災検知装置１６のアドレス順に表示した実施形態を示している。
【０１０１】
図１３の汚損表示１３０は、トンネル内の監視エリアＡＲ１，ＡＲ２，・・・に対応して汚損情報１００を火災検知装置１６のアドレス順に表示した実施形態を示している。
【０１０２】
なお、図１１乃至図１３の汚損表示１１０、１２０、１３０を液晶ディスプレイで画面表示する際に、１画面に収まらない場合は、切替え表示やスクロール表示等の表示方法をとることになる。
【０１０３】
（汚損表示の第６実施形態）
防災受信盤１０に設けられた汚損表示制御部３２による汚損表示の第６実施形態として、図７乃至図１３に示した第１乃至第５実施形態による汚損表示を、操作部２６による所定の操作により、必要に応じて選択して表示させるようにしても良い。
【０１０４】
［本発明の変形例］
（火災検知装置）
上記の実施形態は２波長方式の火災検知装置を例にとっているが、これに限定されず、他の方式でも良い。例えば、前述した２波長に加え、ＣＯ2の共鳴放射帯である４．４〜４．５μｍ帯に対し短波長側の、例えば、３．８μｍ付近の波長帯域における放射線エネルギーを２波長式と同様の手法で検知し、これらの３波長帯域における各受光信号の相対比によって炎の有無を判定する３波長式の炎検知器としても良い。
【０１０５】
（汚損予兆状態と汚損状態の検知）
上記の実施形態は、火災検知装置で予兆予報状態と予報状態を検知して防災受信盤に送信しているが、これに限定されない。例えば、防災受信盤で火災検知装置の左窓汚損度と右窓汚損度を収集して記憶していることから、防災受信盤の汚損表示制御部により、左窓汚損度又は右窓汚損度が所定の汚損予兆閾値に達している場合に、左窓汚損度又は右窓汚損度に汚損予兆状態を識別表示させ、また、左窓汚損度又は右窓汚損度が汚損予兆閾値よりも高い所定の汚損閾値に達している場合に、左窓汚損度又は右窓汚損度に汚損状態を識別表示させる良いにしても良い。これにより火災検知器装置側での処理負担を低減可能とする。
【０１０６】
なお、左窓と右窓とは、例えば左側受光部から右側受光部を覆うように湾曲した１枚の透光性窓であってもよい。この場合、左側火災検知部（受光部）のセンサ前方に該当する部分が本実施形態の左側透光性窓、右側火災検知部（受光部）のセンサ前方に該当する部分が右側透光性窓に相当する。
【０１０７】
（汚損度の表示内容）
上記の実施形態は、防災受信盤の汚損表示制御部は、左窓汚損度及び右窓汚損度を、汚損度のアナログ値（減光率）として表示しているが、これに限定されない。例えば、汚損度の度合を多段階に示す文字、符号、図形又は色彩により表示させるようにしても良い。このように汚損度の度合を文字、符号、図形又は色彩により多段階に表示することにより、汚損の度合を直感的に把握して、清掃の必要性を判断可能とする。
【０１０８】
なお、図７乃至図１３に示した汚損表示の各実施形態において、汚損度の数値表示は必須でなく、省略してもよい。汚損度の数値表示を省略した場合でも、清掃の緊急度や優先度が簡単かつ効率的に把握できる点に変わりなく、本発明の目的を達することができる。
【０１０９】
また、図７乃至図１３に示した汚損表示の各実施形態において、清掃逼迫度の高い監視エリアの順に汚損度又は汚損度の度合を表示しても良い。
【０１１０】
（その他）監視エリア
また本発明は、その目的と利点を損なわない適宜の変形を含み、更に上記の実施形態に示した数値による限定は受けない。
【符号の説明】
【０１１１】
１ａ：上り線トンネル
１ｂ：下り線トンネル
１０：防災受信盤
１２ａ，１２ｂ：信号回線
１６：火災検知装置
１６Ｌ：左窓火災検知部
１６Ｒ：右窓火災検知部
１８，３４：制御部
２０ａ，２０ｂ，３５：伝送部
３１：火災監視制御部
３２：汚損表示制御部
３６Ｌ：左側透光性窓
３６Ｒ：右側透光性窓
３８ａ，３８ｂ：受光部
４０ａ，４０ｂ：増幅処理部
４２：試験光源部
４４：汚損受光部
４６：増幅部
４８：火災判定部
５０：汚損処理部
【図１】
2018197990.tif 000003
【図２】
2018197990.tif 000004
【図３】
2018197990.tif 000005
【図４】
2018197990.tif 000006
【図５】
2018197990.tif 000007
【図６】
2018197990.tif 000008
【図７】
2018197990.tif 000009
【図８】
2018197990.tif 000010
【図９】
2018197990.tif 000011
【図１０】
2018197990.tif 000012
【図１１】
2018197990.tif 000013
【図１２】
2018197990.tif 000014
【図１３】
2018197990.tif 000015